(57)【要約】      （修正有）【課題】印刷物の任意の位置に金箔や銀箔等の箔押しをするシステムにおいて、下地層であるトナー層やインク層の上に箔押しを行う場合においても、箔版を用いた箔押し装置で作成した箔と同等の質感が得られるようにする。【解決手段】印刷データに基づいて用紙にトナー層又はインク層を形成する印刷装置３０と、トナー層又はインク層の上に箔押しを行う箔押し装置４０と、を含む印刷物箔押しシステムにおいて、印刷装置３０又は当該印刷装置３０を制御する制御装置は、箔押しされる箇所内で、トナー層又はインク層の層厚を相対的に厚くする部分と層厚を相対的に薄くする部分とを形成可能な印刷データを生成し、印刷装置３０は、印刷データに基づいて、用紙に、層厚が相対的に厚い部分と層厚が相対的に薄い部分とを有するトナー層又はインク層を形成する。【選択図】図１０
2020015210.tif 000002
【特許請求の範囲】
【請求項１】
印刷データに基づいて用紙にトナー層又はインク層を形成する印刷装置と、前記トナー層又は前記インク層の上に箔押しする箔押し装置と、を含む印刷物箔押しシステムにおいて、
前記印刷装置又は当該印刷装置を制御する制御装置は、
箔押しされる箇所内で、前記トナー層又は前記インク層の層厚を相対的に厚くする部分と層厚を相対的に薄くする部分とを形成可能な印刷データを生成する印刷データ生成部を備え、
前記印刷装置は、前記印刷データに基づいて、前記用紙に、層厚が相対的に厚い部分と層厚が相対的に薄い部分とを有する前記トナー層又は前記インク層を形成する、
ことを特徴とする印刷物箔押しシステム。
【請求項２】
前記印刷データ生成部は、前記箔押しされる箇所の端部側と中央部側とで、前記トナー層又は前記インク層の層厚を変化させる前記印刷データを生成する、
ことを特徴とする請求項１に記載の印刷物箔押しシステム。
【請求項３】
前記印刷データ生成部は、前記箔押しされる箇所内で、トナー又はインクの塗布量を変化させた前記印刷データを生成する、
ことを特徴とする請求項１又は２に記載の印刷物箔押しシステム。
【請求項４】
前記印刷装置は、粒子径又は発泡量が異なる複数種類のトナー又はインクを備え、
前記印刷データ生成部は、前記箔押しされる箇所内で、使用する前記トナー又は前記インクの種類を変化させた前記印刷データを生成する、
ことを特徴とする請求項１又は２に記載の印刷物箔押しシステム。
【請求項５】
前記印刷データ生成部は、複数ページの前記印刷データを生成し、
前記印刷装置は、前記複数ページの印刷データに基づいて前記トナー層又は前記インク層を順次形成して積層する、
ことを特徴とする請求項１乃至４のいずれか一に記載の印刷物箔押しシステム。
【請求項６】
前記印刷データ生成部は、ページ毎に、前記トナー又は前記インクの塗布量の分布、又は、使用する前記トナー又は前記インクの種類の分布を変化させた前記複数ページの印刷データを生成する、
ことを特徴とする請求項５に記載の印刷物箔押しシステム。
【請求項７】
前記印刷装置は、前記用紙を機内で循環させる機構を備え、指定された回数、前記トナー層又は前記インク層を連続して形成する、
ことを特徴とする請求項５又は６に記載の印刷物箔押しシステム。
【請求項８】
前記印刷データ生成部は、少なくとも最上層に形成する前記トナー又は前記インクの色を、箔の色に応じた色に指定した前記印刷データを生成する、
ことを特徴とする請求項５乃至７のいずれか一に記載の印刷物箔押しシステム。
【請求項９】
前記印刷物箔押しシステムは、複数の前記印刷装置を含み、
各々の前記印刷装置は、同じ色の前記トナー又は前記インクを複数備え、
箔の色に応じた色の前記トナー又は前記インクを備える前記印刷装置が、前記トナー層又は前記インク層を連続して形成する、
ことを特徴とする請求項５乃至７のいずれか一に記載の印刷物箔押しシステム。
【請求項１０】
前記印刷装置又は前記制御装置は、更に、
前記トナー層又は前記インク層の形状に応じた効果を指定する印刷条件指定部を備え、
前記印刷データ生成部は、指定された前記効果に基づいて前記印刷データを生成する、
ことを特徴とする請求項１乃至９のいずれか一に記載の印刷物箔押しシステム。
【請求項１１】
前記効果は、エンボス効果を含む、
ことを特徴とする請求項１０に記載の印刷物箔押しシステム。
【請求項１２】
トナー層又はインク層の上に箔押しする箔押し装置が接続される印刷装置の箔押し印刷制御方法であって、
前記印刷装置又は当該印刷装置を制御する制御装置が、箔押しされる箇所内で、前記トナー層又は前記インク層の層厚を相対的に厚くする部分と層厚を相対的に薄くする部分とを形成可能な印刷データを生成する印刷データ生成処理を実行し、
前記印刷装置が、前記印刷データに基づいて、用紙に、層厚が相対的に厚い部分と層厚が相対的に薄い部分とを有する前記トナー層又は前記インク層を形成する印刷処理を実行する、
ことを特徴とする箔押し印刷制御方法。
【請求項１３】
前記印刷データ生成処理では、前記箔押しされる箇所の端部側と中央部側とで、前記トナー層又は前記インク層の層厚を変化させる前記印刷データを生成する、
ことを特徴とする請求項１２に記載の箔押し印刷制御方法。
【請求項１４】
前記印刷データ生成処理では、前記箔押しされる箇所内で、トナー又はインクの塗布量を変化させた前記印刷データを生成する、
ことを特徴とする請求項１２又は１３に記載の箔押し印刷制御方法。
【請求項１５】
前記印刷装置は、粒子径又は発泡量が異なる複数種類のトナー又はインクを備え、
前記印刷データ生成処理では、前記箔押しされる箇所内で、使用する前記トナー又は前記インクの種類を変化させた前記印刷データを生成する、
ことを特徴とする請求項１２又は１３に記載の箔押し印刷制御方法。
【請求項１６】
前記印刷データ生成処理では、複数ページの前記印刷データを生成し、
前記印刷処理では、前記複数ページの印刷データに基づいて前記トナー層又は前記インク層を順次形成して積層する、
ことを特徴とする請求項１２乃至１５のいずれか一に記載の箔押し印刷制御方法。
【請求項１７】
前記印刷データ生成処理では、ページ毎に、前記トナー又は前記インクの塗布量の分布、又は、使用する前記トナー又は前記インクの種類の分布を変化させた前記複数ページの印刷データを生成する、
ことを特徴とする請求項１６に記載の箔押し印刷制御方法。
【請求項１８】
前記印刷装置は、前記用紙を機内で循環させる機構を備え、
前記印刷処理では、指定された回数、前記トナー層又は前記インク層を連続して形成する、
ことを特徴とする請求項１６又は１７に記載の箔押し印刷制御方法。
【請求項１９】
前記印刷データ生成処理では、少なくとも最上層に形成する前記トナー又は前記インクの色を、箔の色に応じた色に指定した前記印刷データを生成する、
ことを特徴とする請求項１６乃至１８のいずれか一に記載の箔押し印刷制御方法。
【請求項２０】
前記印刷物箔押しシステムは、複数の前記印刷装置を含み、
各々の前記印刷装置は、同じ色の前記トナー又は前記インクを複数備え、
前記印刷処理では、箔の色に応じた色の前記トナー又は前記インクを備える前記印刷装置が、前記トナー層又は前記インク層を連続して形成する、
ことを特徴とする請求項１６乃至１８のいずれか一に記載の箔押し印刷制御方法。
【請求項２１】
前記印刷装置又は前記制御装置が、更に、前記トナー層又は前記インク層の形状に応じた効果を指定する印刷条件指定処理を実行し、
前記印刷データ生成処理では、指定された前記効果に基づいて前記印刷データを生成する、
ことを特徴とする請求項１２乃至２０のいずれか一に記載の箔押し印刷制御方法。
【請求項２２】
前記効果は、エンボス効果を含む、
ことを特徴とする請求項２１に記載の箔押し印刷制御方法。
【請求項２３】
トナー層又はインク層の上に箔押しする箔押し装置が接続される印刷装置又は当該印刷装置を制御する制御装置で動作する箔押し印刷制御プログラムであって、
前記印刷装置又は前記制御装置に、
前記トナー層又は前記インク層の形状に応じた効果を指定する印刷条件指定処理、
指定された前記効果に基づいて、箔押しされる箇所内で、前記トナー層又は前記インク層の層厚を相対的に厚くする部分と層厚を相対的に薄くする部分とを形成可能な印刷データを生成する印刷データ生成処理、を実行させる、
ことを特徴とする箔押し印刷制御プログラム。
【発明の詳細な説明】
【技術分野】
【０００１】
本発明は、印刷物箔押しシステム、箔押し印刷制御方法及び箔押し印刷制御プログラムに関し、特に、用紙にトナー層やインク層を形成する印刷装置とトナー層やインク層の上に箔押しを行う箔押し装置とを含む印刷物箔押しシステム、箔押し用のトナー層やインク層の形成を制御する箔押し印刷制御方法及び箔押し印刷制御プログラムに関する。
【背景技術】
【０００２】
近年、一般的な印刷だけではなく、様々な付加価値を有する印刷物を作成する傾向が強まっている。例えば、厚盛印刷効果を与えるニスコーティングを行ったり、トナーやインクでは表現できないホットフォイルの箔押しを行ったりする手法が知られている。特に、金箔や銀箔は、付加することによって印刷物の見た目がきらびやかになるため、お祝い事の印刷物等に使用されるケースが多い。
【０００３】
上述した手法では、事前にニスコーティングを行う位置を黒色としたビットマップ画像を作成し、箔押し装置に設定する必要があるため、手間がかかる。また、箔押しはニスコーティングが施された部分に箔版で箔を圧着するため、装置が大がかりになる。このように、箔押し印刷物を作成するためには相応の手間がかかり、箔版を用いた箔押し装置は高価であることから、専業社に発注することが一般的であるが、最近は箔押し印刷物を安価かつ容易に作成するために、下地層としてトナー層やインク層を設け、その上に箔押しを行うシステムが検討されている。
【０００４】
例えば、下記特許文献１には、箔押しにより印字をすべき文字等の電子画像信号を形成する文字画像形成部と、電子画像信号により形成した文字等に基づいて本の表紙となる素材上にトナーによる文字等を印刷する文字印刷部と、前記文字等を印刷した表紙素材に、トナーとの接着性に優れた箔のシートを重ねてこれらを加熱押圧する箔接着部と、を備える印字装置が開示されている。
【０００５】
また、下記特許文献２には、熱可塑性樹脂を含むトナーを用いて電子写真法によって画像支持体上に加熱定着された箔接着用トナー層上に、箔を接触させ、サーマルヘッドによって当該箔の選択された領域を加熱することにより、前記箔接着用トナー層上に箔を接着させて箔画像を形成する箔画像形成方法が開示されている。
【先行技術文献】
【特許文献】
【０００６】
【特許文献１】特開２０００−０１５９４４号公報
【特許文献２】特許第５６９１９０９号公報
【発明の概要】
【発明が解決しようとする課題】
【０００７】
上記特許文献１、２のように、下地層としてトナー層を設け、トナー層に箔を接着することにより、箔押し印刷物を安価かつ容易に作成することができるが、一般的にトナー層やインク層は平坦であるため、その上に接着する箔の表面も平坦になり、箔版を用いて箔を圧着する場合のように箔に凹凸を形成することができない。そのため、単に下地層としてトナー層やインク層を設けるだけでは、箔版を用いた箔押し装置と同等の質感を出すことができないという問題があった。
【０００８】
本発明は、上記問題点に鑑みてなされたものであって、その主たる目的は、印刷物の任意の位置に金箔や銀箔等の箔押しをするシステムにおいて、下地層であるトナー層やインク層の上に箔押しを行う場合においても、箔版を用いた箔押し装置で作成した箔と同等の質感を得ることができる印刷物箔押しシステム、箔押し印刷制御方法及び箔押し印刷制御プログラムを提供することにある。
【課題を解決するための手段】
【０００９】
本発明の一側面は、印刷データに基づいて用紙にトナー層又はインク層を形成する印刷装置と、前記トナー層又は前記インク層の上に箔押しする箔押し装置と、を含む印刷物箔押しシステムにおいて、前記印刷装置又は当該印刷装置を制御する制御装置は、箔押しされる箇所内で、前記トナー層又は前記インク層の層厚を相対的に厚くする部分と層厚を相対的に薄くする部分とを形成可能な印刷データを生成する印刷データ生成部を備え、前記印刷装置は、前記印刷データに基づいて、前記用紙に、層厚が相対的に厚い部分と層厚が相対的に薄い部分とを有する前記トナー層又は前記インク層を形成することを特徴とする。
【００１０】
本発明の一側面は、トナー層又はインク層の上に箔押しする箔押し装置が接続される印刷装置の箔押し印刷制御方法であって、前記印刷装置又は当該印刷装置を制御する制御装置が、箔押しされる箇所内で、前記トナー層又は前記インク層の層厚を相対的に厚くする部分と層厚を相対的に薄くする部分とを形成可能な印刷データを生成する印刷データ生成処理を実行し、前記印刷装置が、前記印刷データに基づいて、用紙に、層厚が相対的に厚い部分と層厚が相対的に薄い部分とを有する前記トナー層又は前記インク層を形成する印刷処理を実行することを特徴とする。
【００１１】
本発明の一側面は、トナー層又はインク層の上に箔押しする箔押し装置が接続される印刷装置又は当該印刷装置を制御する制御装置で動作する箔押し印刷制御プログラムであって、前記印刷装置又は前記制御装置に、前記トナー層又は前記インク層の形状に応じた効果を指定する印刷条件指定処理、指定された前記効果に基づいて、箔押しされる箇所内で、前記トナー層又は前記インク層の層厚を相対的に厚くする部分と層厚を相対的に薄くする部分とを形成可能な印刷データを生成する印刷データ生成処理、を実行させることを特徴とする。
【発明の効果】
【００１２】
本発明の印刷物箔押しシステム、箔押し印刷制御方法及び箔押し印刷制御プログラムによれば、印刷物の任意の位置に金箔や銀箔等の箔押しをするシステムにおいて、下地層であるトナー層やインク層の上に箔押しを行う場合においても、箔版を用いた箔押し装置で作成した箔と同等の質感を得ることができる。
【００１３】
その理由は、印刷データに基づいて用紙にトナー層又はインク層を形成する印刷装置と、トナー層又はインク層の上に箔押しを行う箔押し装置と、を含む印刷物箔押しシステムにおいて、印刷装置又は当該印刷装置を制御する制御装置は、箔押しされる箇所内で、トナー層又はインク層の層厚を相対的に厚くする部分と層厚を相対的に薄くする部分とを形成可能な印刷データを生成し、印刷装置は、印刷データに基づいて、用紙に、層厚が相対的に厚い部分と層厚が相対的に薄い部分とを有するトナー層又はインク層を形成するからである。
【図面の簡単な説明】
【００１４】
【図１】従来の箔押し方法（箔版を用いて箔押しする方法）を説明する模式図である。
【図２】従来の箔押し方法（トナー層の上に箔押しする方法）を説明する模式図である。
【図３】箔押し方法（厚いトナー層の上に箔押しする方法）を説明する模式図である。
【図４】本発明の一実施の形態に係る箔押し方法（厚みを変化させたトナー層の上に箔押しする方法）を説明する模式図である。
【図５】本発明の第１の実施例に係る印刷物箔押しシステムの構成例を示す図である。
【図６】本発明の第１の実施例に係るジョブ作成装置の構成を示すブロック図である。
【図７】本発明の第１の実施例に係るコントローラの構成を示すブロック図である。
【図８】本発明の第１の実施例に係る印刷装置の構成を示すブロック図である。
【図９】本発明の第１の実施例に係る箔押し装置の構成を示すブロック図である。
【図１０】本発明の第１の実施例に係る印刷物箔押しシステムの概略動作を示す模式図である。
【図１１】本発明の第１の実施例に係る印刷物箔押しシステムの動作を示すフローチャート図である。
【図１２】本発明の第１の実施例に係るトナー層の構造のバリエーションを示す模式図である。
【図１３】本発明の第２の実施例に係る印刷物箔押しシステムの構成例を示す図である。
【図１４】本発明の第２の実施例に係るコントローラの動作を示すフローチャート図である。
【図１５】本発明の第３の実施例に係る印刷物箔押しシステムの構成例を示す図である。
【図１６】本発明の第３の実施例に係るコントローラの動作を示すフローチャート図である。
【図１７】本発明の第４の実施例に係る印刷装置の構造を示す模式図である。
【図１８】本発明の第５の実施例に係る印刷物箔押しシステムの構成例を示す図である。
【図１９】本発明の第６の実施例に係る印刷物箔押しシステムの構成例を示す図である。
【発明を実施するための形態】
【００１５】
背景技術で示したように、付加価値を有する印刷物を作成する方法として、ニスコーティングを行ったり箔押しを行ったりする手法が知られている。この手法では、箔押し印刷物を作成するために相応の手間がかかり、箔版を用いた箔押し装置は高価であることから、専業社に発注することが一般的であるが、最近は箔押し印刷物を安価かつ容易に作成するために、下地層としてトナー層やインク層を設け、その上に箔押しを行うシステムが検討されている。
【００１６】
しかしながら、一般的にトナー層やインク層は平坦であるため、その上に接着する箔の表面も平坦になり、箔版を用いて箔を圧着する場合のように箔に凹凸を形成することができない。そのため、単に下地層としてトナー層やインク層を設けるだけでは、箔版を用いた箔押し装置と同等の質感を出すことができないという問題があった。この問題について、図面を参照して説明する。
【００１７】
図１は、箔版を用いた従来の箔押し方法を説明する模式図である。この方法では、ニスコーティングを施した用紙の上に金箔や銀箔などの箔を置き、その上から箔画像が凸状になった箔版を熱や圧力を加えて押し付けた後、箔を引き剥がすことにより、箔が箔版の形状で抜き取られて用紙上に転写される。この箔押し装置では箔を箔版で押し付けるため、箔部分の断面形状は、端部から徐々に厚くなり、中央部がやや窪んだ形状になり、質感のある箔が形成される。
【００１８】
図２は、トナー層の上に箔押しする従来の箔押し方法を説明する模式図である。この方法では、印刷装置を用いて箔を残したい部分にトナー層を形成し、その上に箔を重ねて押し当てた後、箔を引き剥がすことにより、箔がトナー層の形状で抜き取られて用紙上に転写される。しかしながら、この方法では、薄くかつ平坦なトナー層の上に箔が接着されるため、箔部分の断面形状も平坦になり、質感のない箔しか形成することができない。
【００１９】
この問題に対して、図３に示すように、印刷装置を用いて箔を残したい部分にトナー層を重ねて印刷してトナー層を厚くする方法が考えられる。この方法では、厚塗りしたトナー層の上に箔を重ねて押し当てた後、箔を引きはがすことにより、箔がトナー層の形状で抜き取られて用紙上に転写される。しかしながら、この方法でも、平坦なトナー層の上に箔が接着されるため、箔部分の断面形状も平坦になり、やはり質感のない箔しか形成することができない。
【００２０】
そこで、本発明の一実施の形態では、印刷データに基づいて用紙にトナー層又はインク層を形成する印刷装置と、トナー層又はインク層の上に箔押しを行う箔押し装置と、を含む印刷物箔押しシステムにおいて、印刷装置又は当該印刷装置を制御する制御装置は、箔押しされる領域内で、トナー層又はインク層の層厚を相対的に厚くする部分と相対的に薄くする部分とを形成可能な印刷データを生成し、印刷装置は、印刷データに基づいて、用紙に、層厚が相対的に厚い部分と層厚が相対的に薄い部分とを有するトナー層又はインク層を形成する。例えば、均一な濃度画像であってもトナー層又はインク層の層厚を均一にしない（画像濃度が同じであってもトナー層又はインク層の層厚が異なるようにする）ために、その均一な濃度に相当する層厚に比べて層厚が厚い部分を形成する。具体的には、図４に示すように、下地層であるトナー層を重ねて印刷する際に、トナー層の形成領域を層毎に変化させるなどして、トナー層の層厚が相対的に厚い部分と層厚が相対的に薄い部分とが形成されるようにする。
【００２１】
この方法では、層厚が相対的に厚い部分と層厚が相対的に薄い部分とを有する（凹凸のある）トナー層又はインク層の上に箔が接着されるため、箔部分の断面形状もトナー層の凹凸を反映した形状となり、質感のある箔を形成することができる。なお、トナー層の凹凸の程度は求める質感に応じて適宜変更可能であるが、一般的に凹部を１００％とした場合に、凸部を凹部の１５０％〜５００％の範囲で制御することによって質感に違いを出すことができる。また、端部が一度盛り上がり中央部に窪みが生じる形状とすることによって、箔版を用いた箔押し装置で作成した場合に近い質感を出すことができる。
【実施例１】
【００２２】
上記した本発明の実施の形態についてさらに詳細に説明すべく、本発明の第１の実施例に係る印刷物箔押しシステム、箔押し印刷制御方法及び箔押し印刷制御プログラムについて、図５乃至図１２を参照して説明する。図５は、本実施例の印刷物箔押しシステムの構成例を示す図であり、図４乃至図９は、各々、ジョブ作成装置、コントローラ、印刷装置、箔押し装置の構成を示すブロック図である。また、図１０は、本実施例の印刷物箔押しシステムの概略動作を示す模式図であり、図１１は、本実施例の印刷物箔押しシステムの動作を示すフローチャート図である。また、図１２は、本実施例のトナー層の構造のバリエーションを示す模式図である。
【００２３】
図５に示すように、本実施例の印刷物箔押しシステムは、ジョブを生成して送信するジョブ作成装置１０と、ジョブを処理して印刷データを生成するコントローラ２０と、印刷データに基づいて用紙にトナー層又はインク層（本実施例ではトナー層とする。）を形成する印刷装置３０と、トナー層の上に箔押しを行う箔押し装置４０と、で構成される。ジョブ作成装置１０とコントローラ２０と印刷装置３０と必要に応じて箔押し装置４０とは、イーサネット（登録商標）、トークンリング、ＦＤＤＩ（Fiber-Distributed Data Interface）等の規格により定められるＬＡＮ（Local Area Network）やＷＡＮ（Wide Area Network）等の通信ネットワーク５０によって接続されている。
【００２４】
なお、コントローラ２０と印刷装置３０とは、ＰＣＩ（Peripheral Component Interconnect）などの専用線で接続される構成としてもよい。また、図５では、印刷物箔押しシステムを、ジョブ作成装置１０とコントローラ２０と印刷装置３０と箔押し装置４０とで構成したが、コントローラ２０の機能を、ジョブ作成装置１０や印刷装置３０で実現可能であれば、コントローラ２０を省略することができる。以下、図５の構成を前提にして、各装置について詳細に説明する。
【００２５】
［ジョブ作成装置］
ジョブ作成装置１０は、パーソナルコンピュータなどのコンピュータ装置（クライアント装置）であり、ジョブを生成してコントローラ２０に送信する。このジョブ作成装置１０は、図６（ａ）に示すように、制御部１１、記憶部１５、ネットワークＩ／Ｆ部１６、表示部１７、操作部１８などで構成される。
【００２６】
制御部１１は、ＣＰＵ（Central Processing Unit）１２とＲＯＭ（Read Only Memory）１３やＲＡＭ（Random Access Memory）１４などのメモリとで構成され、ＣＰＵ１２は、ＲＯＭ１３や記憶部１５に記憶した制御プログラムをＲＡＭ１４に展開して実行することにより、ジョブ作成装置１０全体の動作を制御する。上記制御部１１は、図６（ｂ）に示すように、画像作成部１１ａ、ジョブ生成部１１ｂなどとして機能する。
【００２７】
画像作成部１１ａは、箔押しによって形成する箔画像を作成するアプリケーションである。
【００２８】
ジョブ生成部１１ｂは、箔画像に応じたトナー層を形成する指示を行うＰＤＦ（Portable Document Format）データ等のジョブを生成し、生成したジョブをコントローラ２０に出力する。
【００２９】
記憶部１５は、ＨＤＤ（Hard Disk Drive）やＳＳＤ（Solid State Drive）などで構成され、ＣＰＵ１２が各部を制御するためのプログラム、自装置の処理機能に関する情報、ジョブなどを記憶する。
【００３０】
ネットワークＩ／Ｆ部１６は、ＮＩＣ（Network Interface Card）やモデムなどで構成され、ジョブ作成装置１０を通信ネットワーク５０に接続し、コントローラ２０にジョブを送信する。
【００３１】
表示部１７は、液晶表示装置（ＬＣＤ：Liquid Crystal Display）や有機ＥＬ（electroluminescence）表示装置などで構成され、上記アプリケーションの画面やジョブの画面などを表示する。
【００３２】
操作部１８は、マウスやキーボードなどで構成され、箔画像の作成、ジョブの生成／送信などの操作を可能にする。
【００３３】
［コントローラ］
コントローラ２０は、プリンタコントローラやプリンタサーバなどであり、ジョブ作成装置１０からジョブを受信し、印刷装置３０に印刷データを送信する。このコントローラ２０は、図７（ａ）に示すように、制御部２１、記憶部２５、ネットワークＩ／Ｆ部２６、画像処理部２７、表示部２８、操作部２９などで構成される。
【００３４】
制御部２１は、ＣＰＵ２２とＲＯＭ２３やＲＡＭ２４などのメモリとで構成され、ＣＰＵ２２は、ＲＯＭ２３や記憶部２５に記憶した制御プログラムをＲＡＭ２４に展開して実行することにより、コントローラ２０全体の動作を制御する。上記制御部２１は、図７（ｂ）に示すように、印刷条件指定部２１ａ、印刷データ生成部２１ｂなどとして機能する。
【００３５】
印刷条件指定部２１ａは、トナー層を重ねて印刷する重ね印刷を行うかどうかを指定する重ね印刷指定、トナー層の形状に応じた効果を指定する適用効果指定を可能にする。
【００３６】
印刷データ生成部２１ｂは、箔押しされる箇所内で、トナー層の層厚を相対的に厚くする部分と相対的に薄くする部分とが形成可能な印刷データを生成する。具体的には、ジョブの箔画像に、指定された効果に対応する効果データを適用して、箔押しされる箇所の端部側と中央部側とで、トナー層の層厚を変化させる印刷データ（重ね印刷用データと呼ぶ。）を生成する。例えば、箔押しされる箇所内で、トナーの塗布量を変化させた重ね印刷用データを生成したり、トナーの塗布量の分布を変化させた複数頁の重ね印刷用データを生成したりする。
【００３７】
なお、印刷条件指定部２１ａ及び印刷データ生成部２１ｂはハードウェアとして構成してもよいし、制御部２１を印刷条件指定部２１ａ及び印刷データ生成部２１ｂとして機能させる箔押し印刷制御プログラムとして構成し、当該箔押し印刷制御プログラムをＣＰＵ２２に実行させるようにしてもよい。
【００３８】
記憶部２５は、ＨＤＤやＳＳＤなどで構成され、ＣＰＵ２２が各部を制御するためのプログラム、ジョブ作成装置１０から受信したジョブ、印刷データ生成部２１ｂが生成した印刷データ、適用効果と効果データとを対応付ける適用効果ライブラリなどを保存する。
【００３９】
ネットワークＩ／Ｆ部２６は、ＮＩＣやモデムなどで構成され、コントローラ２０を通信ネットワーク５０に接続し、ジョブ作成装置１０からジョブを受信したり、印刷装置３０に印刷データを送信したりする。
【００４０】
画像処理部２７は、ＲＩＰ部（Raster Image Processor）として機能し、ジョブを翻訳して中間データを生成し、レンダリングを行ってビットマップ形式の印刷データを生成する（この一連の処理をＲＩＰ処理と呼ぶ。）。また、画像処理部２７は、必要に応じて、この印刷データに対して、スクリーン処理、階調補正、濃度バランス調整、細線化、網点処理などを行う。
【００４１】
表示部２８は、液晶表示装置や有機ＥＬ表示装置などで構成され、印刷条件指定部２１ａの指示に従って、重ね印刷指定や適用効果指定を行うための画面などを表示する。
【００４２】
操作部２９は、マウスやキーボードなどで構成され、上述した画面における重ね印刷の指定や適用効果の指定などの操作を可能にする。
【００４３】
［印刷装置］
印刷装置３０は、トナーの重ね印刷が可能なＭＦＰ（Multi-Functional Peripherals）などであり、コントローラ２０から受信した印刷データ（重ね印刷用データ）に基づいて印刷処理を実行する。この印刷装置３０は、図８に示すように、制御部３１、記憶部３５、ネットワークＩ／Ｆ部３６、表示操作部３７、印刷処理部３８などで構成される。
【００４４】
制御部３１は、ＣＰＵ３２とＲＯＭ３３やＲＡＭ３４などのメモリとで構成され、ＣＰＵ３２は、ＲＯＭ３３や記憶部３５に記憶した制御プログラムをＲＡＭ３４に展開して実行することにより、印刷装置３０全体の動作を制御する。本実施例では、重ね印刷が指定された時に、指定された適用効果が得られるまで印刷を繰り返すために、制御部３１は印刷回数をカウントする。
【００４５】
記憶部３５は、ＨＤＤやＳＳＤなどで構成され、ＣＰＵ３２が各部を制御するためのプログラム、自装置の処理機能に関する情報、コントローラ２０から受信した重ね印刷用データなどを記憶する。
【００４６】
ネットワークＩ／Ｆ部３６は、ＮＩＣやモデムなどで構成され、印刷装置３０を通信ネットワーク５０に接続し、コントローラ２０から重ね印刷用データを受信したり、箔押し装置４０に重ね印刷が完了した旨の情報（重ね印刷完了情報）を送信したりする。
【００４７】
表示操作部３７は、表示部上に透明電極が格子状に配置された感圧式の操作部（タッチセンサ）を設けたタッチパネルなどであり、印刷処理に関する各種画面を表示し、印刷処理に関する各種操作を可能にする。
【００４８】
印刷処理部３８は、印刷データ（重ね印刷用データ）に基づいてトナー層を順次形成する。この印刷処理部３８は、例えば、印刷データに基づいてレーザ光を照射して露光する露光部とＣＭＹＫの各色のトナーが装填されたトナーボトルと感光体ドラムと現像部と帯電部と感光体クリーニング部と１次転写ローラとを備え、ＣＭＹＫの各色のトナー像を形成する画像形成部と、ローラによって回転され、画像形成部で形成されたトナー像を用紙に搬送する中間転写体として機能する中間ベルトと、中間ベルト上に形成されたトナー像を用紙に転写する２次転写ローラと、用紙に転写されたトナー像を定着させる定着部と、用紙を供給する給紙トレイと、用紙を排出する排紙トレイと、用紙を搬送する給紙ローラやレジストローラ、ループローラ、反転ローラ、排紙ローラ等の搬送部などで構成される。
【００４９】
なお、本実施例で使用するトナーは、トナー層の上に箔を接着するための接着剤としての作用が発現されるトナーとすることが好ましく、熱可塑性樹脂を含む結着樹脂を含有する構成などとすることができる。上記熱可塑性樹脂としては、スチレン系樹脂、（メタ）アクリル系樹脂、スチレン−（メタ）アクリル系共重合体樹脂、オレフィン系樹脂などのビニル系樹脂、ポリエステル系樹脂、ポリアミド系樹脂、ポリカーボネート樹脂、ポリエーテル、ポリ酢酸ビニル系樹脂、ポリスルフォン樹脂、ポリウレタン樹脂などの公知の熱可塑性樹脂を使用することができ、これらは１種または２種以上を組み合わせて用いることができる。
【００５０】
［箔押し装置］
箔押し装置４０は、印刷装置３０が出力した用紙に対して箔押しを実施する。この箔押し装置４０は、図９に示すように、制御部４１、記憶部４５、ネットワークＩ／Ｆ部４６、表示操作部４７、ニス形成部４８、箔押し部４９などで構成される。
【００５１】
制御部４１は、ＣＰＵ４２とＲＯＭ４３やＲＡＭ４４などのメモリとで構成され、ＣＰＵ４２は、ＲＯＭ４３や記憶部４５に記憶した制御プログラムをＲＡＭ４４に展開して実行することにより、箔押し装置４０全体の動作を制御する。
【００５２】
記憶部４５は、ＨＤＤやＳＳＤなどで構成され、ＣＰＵ４２が各部を制御するためのプログラム、自装置の処理機能に関する情報などを記憶する。
【００５３】
ネットワークＩ／Ｆ部４６は、ＮＩＣやモデムなどで構成され、箔押し装置４０を通信ネットワーク５０に接続し、印刷装置３０から重ね印刷完了情報を受信する。
【００５４】
表示操作部４７は、表示部上に透明電極が格子状に配置された感圧式の操作部（タッチセンサ）を設けたタッチパネルなどであり、箔押し処理に関する各種画面を表示し、箔押し処理に関する各種操作を可能にする。
【００５５】
ニス形成部４８は、印刷装置３０が印刷出力した用紙に対して、必要に応じて、印刷データで規定される領域にニスなどの接着材を塗布する。
【００５６】
箔押し部４９は、用紙の通紙方向に直交する方向を軸として、１又は複数の箔ロールが装填可能な装填手段を備え、箔ロールから供給される箔を用紙に形成されたトナー層に接着した後、引き剥がすことにより、用紙上にトナー層の形状の箔を転写する。
【００５７】
なお、図５乃至図９は、本実施例の印刷物箔押しシステムの一例であり、各装置の構成や制御は適宜変更可能である。
【００５８】
例えば、図５では、コントローラ２０と印刷装置３０と箔押し装置４０とを別々の装置としたが、コントローラ２０と印刷装置３０と箔押し装置４０、コントローラ２０と印刷装置３０、印刷装置３０と箔押し装置４０などを１つの装置としてもよい。
【００５９】
また、図７では、コントローラ２０の制御部２１を印刷条件指定部２１ａ及び印刷データ生成部２１ｂとして機能させる（コントローラ２０のＣＰＵ２２に箔押し印刷制御プログラムを実行させる）構成としたが、印刷装置３０の制御部３１を印刷条件指定部及び印刷データ生成部として機能させる（印刷装置３０のＣＰＵ３２に箔押し印刷制御プログラムを実行させる）構成としてもよい。
【００６０】
次に、上記構成の印刷物箔押しシステムの概略動作について、図１０の模式図を参照して説明する。
【００６１】
ジョブ作成装置１０では、制御部１１（ジョブ生成部１１ｂ）は、ＰＤＦデータ等のジョブを作成し、このジョブをコントローラ２０に送信する（図１０の（１）、（２）参照）。
【００６２】
コントローラ２０では、制御部２１（印刷条件指定部２１ａ）は、重ね印刷の指定、質感の強弱、エンボス加工等の適用効果の指定を受け付ける（図１０の（３ａ）、（３ｂ）参照）。なお、質感強弱は１５０％〜５００％の範囲で制御できることが好ましい。例えば、「質感強」とした場合は、中央部を凹、端部を凸とし、凹と凸の層厚の比率を１：５などとする。また、「質感弱」とした場合は、中央部を凹、端部を凸とし、凹と凸の層厚の比率を１：１．５などとする。
【００６３】
次に、制御部２１（印刷データ生成部２１ｂ）は、ジョブ作成装置１０から重ね印刷用のジョブを取得し、指定された適用効果に基づいて印刷データ（重ね印刷用データ）を生成する（図１０の（３ｃ）、（３ｄ）参照）。例えば、２０回印刷する場合は、塗布位置画像を変化させた２０頁分の重ね印刷用データを作成する。そして、生成した重ね印刷用データを印刷装置３０に送信する（図１０の（４）参照）。
【００６４】
印刷装置３０では、印刷処理部３８は、重ね印刷用データに基づいて用紙上にトナー層を形成する（図１０の（５ａ）参照）。例えば、１回目は１頁目の重ね印刷用データを使用し、２回目は２頁目の重ね印刷用データを使用する。そして、印刷処理部３８は、必要回数の印刷が完了したかを判断し、必要回数の印刷が完了したら、オペレータは印刷物を箔押し装置４０に運ぶ（図１０の（５ｂ）、（５ｃ）参照）。
【００６５】
箔押し装置４０では、箔押し部４９は、トナー層に箔押しできる場合は、そのまま箔押しを実施し、事前にニス塗りが必要な場合は、ニス形成部４８は、印刷データで規定される領域にニス等の接着材を塗布した後、箔押し部４９は、箔押しを実施する（図１０の（６）参照）。
【００６６】
次に、本実施例の印刷物箔押しシステムの詳細動作について説明する。コントローラ２０のＣＰＵ２２は、ＲＯＭ２３又は記憶部２５に記憶した箔押し印刷制御プログラムをＲＡＭ２４に展開して実行することにより、図１１のフローチャート図に示す各ステップの処理を実行する。
【００６７】
まず、コントローラ２０では、制御部２１（印刷条件指定部２１ａ）は、重ね印刷の指定を受け付け（Ｓ１０１）、質感の強弱、エンボス加工等の適用効果の指定を受け付ける（Ｓ１０２）。上述したように、「質感強」とした場合は、中央部を凹、端部を凸とし、凹と凸の層厚の比率を１：５などとし、「質感弱」とした場合は、中央部を凹、端部を凸とし、凹と凸の層厚の比率を１：１．５などとする。なお、ここでは、中央部側と端部側とで層厚を変化させる適用効果を例示したが、縦や横、右上対角線などの任意の適用効果を指定することができる。また、予め定めた効果を適用する場合は、Ｓ１０２を省略することができる。そして、適用効果ライブラリなどから、指定された適用効果に対応する効果データを読み込む（Ｓ１０３）。
【００６８】
次に、制御部２１（印刷データ生成部２１ｂ）は、ジョブ作成装置１０から受信したジョブに基づいて画像処理部２７が生成した印刷データ（単頁データ）を読み込み（Ｓ１０４）、Ｓ１０３で読み込んだ効果データを用いて重ね印刷用データ（複数頁データ）を生成する（Ｓ１０５）。例えば、適用効果として「質感強」を選択した時は、端部が１００％、中央部が２０％のデータを２０頁分作成することにより、端部を中央部の５００％の厚みとする重ね印刷用データを生成することができる。その後、制御部２１（印刷データ生成部２１ｂ）は、生成した重ね印刷用データを印刷装置３０に送信する（Ｓ１０６）。
【００６９】
印刷装置３０では、コントローラ２０から重ね印刷用データを受信したら（Ｓ１０７）、制御部３１は、出力回数（Ｘ）を１に設定し（Ｓ１０８）、印刷処理部３８に重ね印刷用データのＸ頁目の印刷を指示する（Ｓ１０９）。次に、制御部３１は、Ｘが最終頁であるかを判断し（Ｓ１１０）、Ｘが最終頁でなければ（Ｓ１１０のＮｏ）、出力回数（Ｘ）に１を加算した後（Ｓ１１１）、Ｓ１０９に戻って印刷処理部３８にＸ頁目の印刷を指示する。そして、制御部３１は、Ｘが最終頁になったら（Ｓ１１０のＹｅｓ）、箔押し装置４０に重ね印刷完了情報を送信する（Ｓ１１２）。
【００７０】
図１２は、重ね印刷されたトナー層の構造の一例である。例えば、図１２（ａ）は、層毎に、トナーを塗布する部分と塗布しない部分の構成を変化させた場合の例である。また、図１２（ｂ）は、全ての層で、トナーの塗布量の分布を同じにした場合の例である。また、図１２（ｃ）は、層毎に、トナーの塗布量の分布を徐々に変化させた場合の例である。
【００７１】
箔押し装置４０では、印刷装置３０から重ね印刷完了情報を受信したら（Ｓ１１３）、印刷装置３０で重ね印刷を行った印刷物をセットする（Ｓ１１４）。その際、必要に応じて、ニス形成部４８は、印刷データで規定される領域にニス等の接着材を塗布する。そして、箔押し部４９は、トナー層に箔押しを行って最終印刷物を作成する（Ｓ１１５）。
【００７２】
このように、箔押しされる領域内で、トナー層の層厚を変化させる（トナー層の層厚が相対的に厚い部分と相対的に薄い部分とを形成する）ことにより、箔部分の断面形状をトナー層の凹凸を反映した形状とすることができ、箔版を用いた箔押し装置で作成した場合に近い質感を出すことができる。
【実施例２】
【００７３】
次に、本発明の第２の実施例に係る印刷物箔押しシステム、箔押し印刷制御方法及び箔押し印刷制御プログラムについて、図１３及び図１４を参照して説明する。図１３は、本実施例の印刷物箔押しシステムの構成例を示す図であり、図１４は、本実施例のコントローラの動作を示すフローチャート図である。
【００７４】
前記した第１の実施例では、トナーの塗布量を調整することにより、トナー層の層厚を変化させたが、粒子径の異なるトナーを用いることによってもトナー層の層厚を変化させることができる。
【００７５】
具体的には、図１３に示すように、ＣＭＹＫのトナーボトルに粒子径の異なるトナーを装填し、複数種類のトナーを使用してトナー層を形成する。例えば、粒子径がＣ＞Ｍ＞Ｙ＞Ｋの場合、中央部から端部に向かって、順にＫ、Ｙ、Ｍ、Ｃのトナーを指定する重ね印刷用データを用いて、複数回、印刷処理を行うことによって、中央部が凹、端部側が凸のトナー層を作成することができる。
【００７６】
この場合、印刷物箔押しシステムの構成は第１の実施例と同様であるが、コントローラ２０の印刷データ生成部２１ｂは、印刷装置３０に装填されているトナーの粒子径が異なる場合（例えば、４つのトナーボトルに異なる粒子径のトナーが装填されている場合）は、印刷装置３０からトナー粒子径情報を取得し、トナー粒子径情報を用いて、箔押しされる箇所内で、使用するトナーの種類を変化させた重ね印刷用データを生成する。
【００７７】
以下、コントローラ２０の詳細動作について説明する。コントローラ２０のＣＰＵ２２は、ＲＯＭ２３又は記憶部２５に記憶した箔押し印刷制御プログラムをＲＡＭ２４に展開して実行することにより、図１４のフローチャート図に示す各ステップの処理を実行する。なお、印刷装置３０及び箔押し装置４０の動作は第１の実施例の図１１のフローチャート図と同様であるため、説明を省略する。
【００７８】
まず、制御部２１（印刷条件指定部２１ａ）は、重ね印刷の指定を受け付け（Ｓ２０１）、質感の強弱、エンボス加工等の適用効果の指定を受け付け（Ｓ２０２）、適用効果ライブラリなどから、指定された適用効果に対応する効果データを読み込む（Ｓ２０３）。なお、予め定めた効果を適用する場合は、Ｓ２０２を省略することができる。
【００７９】
次に、制御部２１（印刷データ生成部２１ｂ）は、印刷装置３０から各色トナーの粒子径情報を取得する（Ｓ２０４）。例えば、Ｃ：２０μｍ、Ｍ：１２μｍ、Ｙ：８μｍ、Ｋ：４μｍといったトナー粒子径情報を取得する。次に、制御部２１（印刷データ生成部２１ｂ）は、ジョブ作成装置１０から受信したジョブに基づいて画像処理部２７が生成した印刷データ（単頁データ）を読み込み（Ｓ２０５）、Ｓ２０３で読み込んだ効果データとＳ２０４で取得したトナー粒子径情報とを用いて重ね印刷用データ（複数頁データ）を生成する（Ｓ２０６）。例えば、適用効果として「質感強」を選択した時は、端部がＣ１００％、中央部がＫ１００％のデータを２０頁分作成することにより端部を中央部の５００％の厚みとする重ね印刷用データを生成することができる。その後、制御部２１（印刷データ生成部２１ｂ）は、生成した重ね印刷用データを印刷装置３０に送信する（Ｓ２０７）。
【００８０】
このように、粒子径の異なる複数種類のトナーを用いることによっても、トナー層の層厚を変化させる（トナー層の層厚が相対的に厚い部分と相対的に薄い部分とを形成する）ことができ、箔版を用いた箔押し装置で作成した場合に近い質感を出すことができる。なお、ここでは複数頁分の重ね印刷用データを生成したが、１回の印刷でトナー層の層厚を十分に変化させることができる場合は、１頁分の重ね印刷用データを生成すればよい。
【実施例３】
【００８１】
次に、本発明の第３の実施例に係る印刷物箔押しシステム、箔押し印刷制御方法及び箔押し印刷制御プログラムについて、図１５及び図１６を参照して説明する。図１５は、本実施例の印刷物箔押しシステムの構成例を示す図であり、図１６は、本実施例のコントローラの動作を示すフローチャート図である。
【００８２】
前記した第２の実施例では、粒子径の異なる複数種類のトナーを用いる場合について記載したが、発泡量の異なる複数種類のトナー（例えば、点字印刷で使用されるトナーなど）を用いることによってもトナー層の層厚を変化させることができる。
【００８３】
具体的には、図１５に示すように、ＣＭＹＫのトナーボトルに発泡量の異なるトナーを装填し、複数種類のトナーを使用してトナー層を形成する。例えば、発泡量がＣ＞Ｍ＞Ｙ＞Ｋの場合、中央部から端部に向かって、順にＫ、Ｙ、Ｍ、Ｃのトナーを指定する重ね印刷用データを用いて、１回、印刷処理を行うことによって、中央部が凹、端部側が凸のトナー層を作成することができる。
【００８４】
この場合、印刷物箔押しシステムの構成は第１の実施例と同様であるが、コントローラ２０の印刷データ生成部２１ｂは、印刷装置３０に装填されているトナーの発泡量が異なる場合（例えば、４つのトナーボトルに異なる発泡量の発泡トナーが装填されている場合）は、印刷装置３０からトナー発泡量情報を取得し、トナー発泡量情報を用いて、箔押しされる箇所内で、使用するトナーの種類を変化させた重ね印刷用データを生成する。
【００８５】
以下、コントローラ２０の詳細動作について説明する。コントローラ２０のＣＰＵ２２は、ＲＯＭ２３又は記憶部２５に記憶した箔押し印刷制御プログラムをＲＡＭ２４に展開して実行することにより、図１６のフローチャート図に示す各ステップの処理を実行する。なお、印刷装置３０及び箔押し装置４０の動作は第１の実施例の図１１のフローチャート図と同様であるため、説明を省略する。
【００８６】
まず、制御部２１（印刷条件指定部２１ａ）は、重ね印刷の指定を受け付け（Ｓ３０１）、質感の強弱、エンボス加工等の適用効果の指定を受け付け（Ｓ３０２）、適用効果ライブラリなどから、指定された適用効果に対応する効果データを読み込む（Ｓ３０３）。なお、予め定めた効果を適用する場合は、Ｓ３０２を省略することができる。
【００８７】
次に、制御部２１（印刷データ生成部２１ｂ）は、印刷装置３０から各色トナーの発泡量情報を取得する（Ｓ３０４）。例えば、Ｃ：５ｍｍ、Ｍ：４ｍｍ、Ｙ：２ｍｍ、Ｋ：１ｍｍといったトナー発泡量情報を取得する。次に、制御部２１（印刷データ生成部２１ｂ）は、ジョブ作成装置１０から受信したジョブに基づいて画像処理部２７が生成した印刷データ（単頁データ）を読み込み（Ｓ３０５）、Ｓ３０３で読み込んだ効果データとＳ３０４で取得したトナー発泡量情報とを用いて重ね印刷用データ（１又は複数頁データ）を生成する（Ｓ３０６）。例えば、適用効果として「質感強」を選択した時は、端部がＣ１００％、中央部がＫ１００％のデータを１頁分作成することにより端部を中央部の５００％の厚みとする重ね印刷用データを生成することができる。その後、制御部２１（印刷データ生成部２１ｂ）は、生成した重ね印刷用データを印刷装置３０に送信する（Ｓ３０７）。
【００８８】
このように、発泡量の異なる複数種類のトナーを用いることによっても、トナー層の層厚を変化させる（トナー層の層厚が相対的に厚い部分と相対的に薄い部分とを形成する）ことができ、箔版を用いた箔押し装置で作成した場合に近い質感を出すことができる。また、発泡性のトナーを用いる場合、１回の印刷でトナー層の層厚を十分に確保することができるため、印刷処理の時間を短縮することができる。
【実施例４】
【００８９】
次に、本発明の第４の実施例に係る印刷物箔押しシステム、箔押し印刷制御方法及び箔押し印刷制御プログラムについて、図１７を参照して説明する。図１７は、本実施例の印刷装置の構造を示す模式図である。
【００９０】
複数回、印刷を繰り返し実施する場合、ユーザは排紙トレイに排出された用紙を給紙トレイに装填する処理を何度も行わなければならず、手間がかかる。そこで、本実施例では、印刷処理部３８に、指定回数分、機内で用紙を循環させて重ね印刷を行う機構を設け、人手を介さないで印刷物を作成できるようにする。
【００９１】
図１７は、機内で用紙を循環させる機構の一例を示す模式図である。一般的に両面印刷時には用紙の反転機構を経由するが、本実施例では、用紙の同じ面にトナーを重ね印刷するため、用紙の反転機構を経由せずに、循環機構（ＰＨ１から搬送される用紙をそのままＰＨ２に戻すように搬送路に切り替える手段）を用いて用紙を循環させる。これにより、用紙の同じ面に指定回数分の重ね印刷を自動的に行うことができるため、ユーザの手間を軽減することができる。
【実施例５】
【００９２】
次に、本発明の第５の実施例に係る印刷物箔押しシステム、箔押し印刷制御方法及び箔押し印刷制御プログラムについて、図１８を参照して説明する。図１８は、本実施例の印刷物箔押しシステムの構成例を示す図である。
【００９３】
前記した第１の実施例では、各色（例えば、ＣＭＹＫの４色）のトナーを使用してトナー層の層厚を変化させたが、使用する箔が決まっている場合は、箔が剥がれた場合でも目立たないようにするために、箔の色に応じて使用するトナーの色を指定することが好ましい。
【００９４】
この場合、図１８に示すように、印刷物箔押しシステムに、互いに異なる色のトナーを備える複数の印刷装置３０（例えば、Ｙのトナーのみを備える印刷装置３０とＫのトナーのみを備える印刷装置３０）を配置し、コントローラ２０の印刷データ生成部２１ｂは、箔が剥がれた時に目立たないようにするために、箔の色に応じた色のトナー（箔の色に近い色のトナー、例えば金箔の場合はＹのトナー、銀箔の場合はＫのトナー）を指定した印刷データを生成し、生成した印刷データを指定した色のトナーを備える印刷装置３０に送信し、印刷装置３０は、指定された色の複数のトナーを用いて連続してトナー層を形成する。
【００９５】
このように、４つのトナーボトルに同じ色のトナーを装填した場合、この４つのトナーボトルを用いて４回分のトナー層の形成を連続して行うことができるため、トナー層の作成時間を短縮することができる。
【００９６】
なお、通常の印刷装置３０（ＣＭＹＫの４色のトナーを備える印刷装置３０）に印刷データを送信し、この印刷装置３０では印刷データで指定された色のトナーのみを用いてトナー層を形成してもよい。また、第１乃至第３の実施例において、印刷データ生成部２１ｂは、少なくとも最上層に形成するトナーの色を、箔の色に応じた色に指定した印刷データを生成し、少なくとも最上層に指定された色のトナー層を形成することによって、箔が剥がれた時に目立たないようにすることができる。
【実施例６】
【００９７】
次に、本発明の第６の実施例に係る印刷物箔押しシステム、箔押し印刷制御方法及び箔押し印刷制御プログラムについて、図１９を参照して説明する。図１９は、本実施例の印刷物箔押しシステムの構成例を示す図である。
【００９８】
第１の実施例では、予め定めた適用効果の中からユーザが所望の適用効果を指定するようにしたが、適用効果は任意に作成して指定することができる。
【００９９】
この場合、印刷物箔押しシステムの構成は第１の実施例と同様であるが、ジョブ作成装置１０の制御部１１（画像作成部１１ａ）は、ＤＴＰ（Desktop publishing）アプリケーションを用いて、任意の模様のグレー画像（ＴＩＦＦ（Tagged Image File Format）画像）を生成してコントローラ２０に送信し、コントローラ２０の制御部２１（印刷条件指定部２１ａ）は、そのＴＩＦＦ画像を適用効果ライブラリに登録することにより、任意の模様の凹凸を適用してトナー層を作成することが可能となる。例えば、適用効果としてエンボス効果も指定することが可能となる。
【０１００】
なお、本発明は上記各実施例に限定されるものではなく、本発明の趣旨を逸脱しない限りにおいて、その構成や制御は適宜変更可能である。
【０１０１】
例えば、上記実施例では、電子写真方式を用いてトナー層を形成する場合について記載したが、インクジェット方式を用いてインク層を形成する場合においても、本発明の箔押し印刷制御方法を同様に適用することができる。
【産業上の利用可能性】
【０１０２】
本発明は、用紙にトナー層やインク層を形成する印刷装置とトナー層やインク層の上に箔押しを行う箔押し装置とを含む印刷物箔押しシステム、箔押し用のトナー層やインク層の形成を制御する箔押し印刷制御方法、箔押し印刷制御プログラム及び当該箔押し印刷制御プログラムを記録した記録媒体に利用可能である。
【符号の説明】
【０１０３】
１０  ジョブ作成装置
１１  制御部
１１ａ  画像作成部
１１ｂ  ジョブ生成部
１２  ＣＰＵ
１３  ＲＯＭ
１４  ＲＡＭ
１５  記憶部
１６  ネットワークＩ／Ｆ部
１７  表示部
１８  操作部
２０  コントローラ
２１  制御部
２１ａ  印刷条件指定部
２１ｂ  印刷データ生成部
２２  ＣＰＵ
２３  ＲＯＭ
２４  ＲＡＭ
２５  記憶部
２６  ネットワークＩ／Ｆ部
２７  画像処理部
２８  表示部
２９  操作部
３０  印刷装置
３１  制御部
３２  ＣＰＵ
３３  ＲＯＭ
３４  ＲＡＭ
３５  記憶部
３６  ネットワークＩ／Ｆ部
３７  表示操作部
３８  印刷処理部
４０  箔押し装置
４１  制御部
４２  ＣＰＵ
４３  ＲＯＭ
４４  ＲＡＭ
４５  記憶部
４６  ネットワークＩ／Ｆ部
４７  表示操作部
４８  ニス形成部
４９  箔押し部
５０  通信ネットワーク
【図１】
2020015210.tif 000003
【図２】
2020015210.tif 000004
【図３】
2020015210.tif 000005
【図４】
2020015210.tif 000006
【図５】
2020015210.tif 000007
【図６】
2020015210.tif 000008
【図７】
2020015210.tif 000009
【図８】
2020015210.tif 000010
【図９】
2020015210.tif 000011
【図１０】
2020015210.tif 000012
【図１１】
2020015210.tif 000013
【図１２】
2020015210.tif 000014
【図１３】
2020015210.tif 000015
【図１４】
2020015210.tif 000016
【図１５】
2020015210.tif 000017
【図１６】
2020015210.tif 000018
【図１７】
2020015210.tif 000019
【図１８】
2020015210.tif 000020
【図１９】
2020015210.tif 000021